(57)【要約】【目的】  送信アンテナや受信アンテナに、放射電波を広範囲に走査し、かつ探知対象物までの距離の計測が可能なオフセット給電型パッチアンテナを用いることで、簡便で小型な探知対象物の電波式探知装置及び電波式探知方法を提供することを目的とする。【構成】  本発明の電波式探知装置は、送信部１１と送信アンテナ１９とからなる送信装置１と、受信部２１と受信アンテナ２９とからなる受信装置２と、信号処理装置３とから概略構成される。送信アンテナ１９及び受信アンテナ２９の先端には、ビーム走査機能を有するオフセット給電型パッチアンテナが装着されている。【選択図】  図１
2005143061.tif 000002
【特許請求の範囲】
【請求項１】
電波信号を送信する平面導体と、前記平面導体に前記平面導体の中心点からオフセットされた給電点で接続される給電線とを備えるオフセット給電型パッチアンテナにおいて、
前記給電線から印加する電気信号の周波数を変化させることにより、前記平面導体から送信する電波信号の送信方向を走査することを特徴とするオフセット給電型パッチアンテナ。
【請求項２】
電波信号を受信する平面導体と、前記平面導体に前記平面導体の中心点からオフセットされた給電点で接続される給電線とを備えるオフセット給電型パッチアンテナにおいて、
電波信号の周波数の変化により、前記平面導体で受信する電波信号の到来方向を検知することを特徴とするオフセット給電型パッチアンテナ。
【請求項３】
前記平面導体の近傍に配設された無給電の平面導体を備えることを特徴とする請求項１又は２に記載のオフセット給電型パッチアンテナ。
【請求項４】
送信信号を発生させる送信部と、前記送信信号を電波信号として送信する送信アンテナと、探知対象物で反射された前記電波信号を受信し受信信号に変換する受信アンテナと、前記受信信号を処理する受信部とを備える電波式対象物探知装置において、
前記送信アンテナ又は前記受信アンテナの少なくとも一方は、前記電波信号を送受信する平面導体と、前記平面導体に前記平面導体の中心点からオフセットされた給電点で接続される給電線とを具備するオフセット給電型パッチアンテナであることを特徴とする電波式対象物探知装置。
【請求項５】
送信信号を発生させる送信部と、前記送信信号を電波信号として送信すると共に探知対象物で反射された前記電波信号を受信し受信信号に変換する送受信アンテナと、前記受信信号を処理する受信部とを備える電波式対象物探知装置において、
前記送受信アンテナは、前記電波信号を送受信する平面導体と、前記平面導体に前記平面導体の中心点からオフセットされた給電点で接続される給電線とを具備するオフセット給電型パッチアンテナであることを特徴とする電波式対象物探知装置。
【請求項６】
サーキュレータをさらに備えることを特徴とする請求項５に記載の波式対象物探知装置。
【請求項７】
前記送信部は、前記送信信号の周波数を変化させる周波数変調部を具備することを特徴とする請求項４乃至６に記載の電波式対象物探知装置。
【請求項８】
前記受信部は、前記送信信号と前記受信信号とから差周波信号を生成するミキサを具備することを特徴とする請求項４乃至７に記載の電波式対象物探知装置。
【請求項９】
前記送信部は、周波数の異なる複数の連続波信号を発生させる多周波連続信号発生部と、前記連続波信号を一定時間毎に切り替える信号切替部と、パルスを発生させるパルス発生部と、前記信号切替部により一定時間毎に切り替えられた前記連続波信号と前記パルスを混合するミキサとを具備することを特徴とする請求項４乃至６に記載の電波式対象物探知装置。
【請求項１０】
前記受信部は、前記送信信号と前記受信信号とから位相差信号を生成する位相検波部を具備することを特徴とする請求項４乃至６又は９に記載の電波式対象物探知装置。
【請求項１１】
さらに信号処理装置を備えることを特徴とする請求項４乃至１０に記載の電波式対象物探知装置。
【請求項１２】
前記信号処理部は、さらにウエーブレット変換処理部を具備することを特徴とする請求項１１に記載の電波式対象物探知装置。
【請求項１３】
平面導体の中心点からオフセットされた給電点から、周波数を変化させた第一の電気信号を印加することにより、送信する電波信号の送信方向を走査し、
探知対象物で反射された前記電波信号を受信アンテナで受信し、
前記受信アンテナで受信した前記電波信号により生成された第二の電気信号と前記第一の電気信号との差周波信号により探知対象物までの距離を測定することを特徴とする電波式対象物探知方法。
【請求項１４】
送信アンテナに第一の電気信号を印加することにより電波信号を送信し、
探知対象物で反射した前記電波信号を平面導体の中心点からオフセットされた給電点を備える受信アンテナで受信し、
受信した前記電波信号の周波数の変化により前記電波信号の到来方向を検知し、
前記受信アンテナで受信した前記電波信号により生成された第二の電気信号と前記第一の電気信号との差周波信号により探知対象物までの距離を測定することを特徴とする電波式対象物探知方法。
【請求項１５】
平面導体の中心点からオフセットされた給電点から、周波数を変化させた第一の電気信号を印加することにより、送信する電波信号の送信方向を走査し、
探知対象物で反射した前記電波信号を平面導体の中心点からオフセットされた給電点を備える受信アンテナで受信し、
受信した前記電波信号の周波数の変化により前記電波信号の到来方向を検知し、
前記受信アンテナで受信した前記電波信号により生成された第二の電気信号と前記第一の電気信号との差周波信号により探知対象物までの距離を測定することを特徴とする電波式対象物探知方法。
【請求項１６】
前記第一の電気信号の周波数の変化は、一定の時間幅で繰り返されることを特徴とする請求項１３又は１５に記載の電波式探知方法。
【請求項１７】
さらに探知対象物の既存の時間変動データと前記受信信号から得られる探知対象物の時間変動データとをウエーブレット変換することを特徴とする請求項１４乃至１６に記載の電波式探知方法。
【発明の詳細な説明】
【技術分野】
【０００１】  本発明は、地中に埋没した文化財や配管などの埋没物や土砂崩れなどの自然災害により土砂や瓦礫に埋没した生存者などの探知対象物を探知するための、小型かつ簡便で広範囲の探知が可能である、探知対象物の電波式探知装置及び方法に関する。
【背景技術】
【０００２】  従来、地中に埋没した文化財や配管などの埋没物や土砂崩れなどの自然災害により土砂や瓦礫に埋没した生存者などの探知対象物を探知するためには、小型ＣＣＤカメラによる光学方式、交番磁場を探知対象物に照射する磁気方式、アンテナから放射された電波を探知対象物に照射する電波方式など様々な方法があった。中でも電波方式は、電波が地中や土砂・瓦礫の奥深くまで浸透し伝搬する性質があるため、効率のよい探知が可能となり幅広く使用されていた。【０００３】  例えば特許文献１における電波方式は、複数の送信アンテナから電波信号を放射し、地中や土砂・瓦礫などのなかに埋没した生存者などで反射した電波信号を受信アンテナで受信し、地中や土砂・瓦礫などのなかに埋没した生存者までの距離を計測することにより生存者を探知するものである。この場合、送信アンテナ及び受信アンテナには給電部が中心部にある通常のパッチアンテナが使用されている。【０００４】
【特許文献１】    特開平１１−００６８７４
【発明の開示】
【発明が解決しようとする課題】
【０００５】  しかし、この特許文献１における電波方式では、広範囲の捜索を行うために電波を放射する送信アンテナと生存者からの反射波を受信する受信アンテナのいずれか一方または両方を複数本としなければならず、装置の取扱いが難しかった。また、送信アンテナや受信アンテナの本数の増大により、送信アンテナへ供給する信号数や受信アンテナから受信する信号数も増大するため、信号を制御・変換する送信部や受信部の規模が大きくなり、装置の小型化が難しかった。【０００６】  そこで本発明は、送信アンテナや受信アンテナに、放射電波を広範囲に走査し、かつ探知対象物までの距離の計測が可能なオフセット給電型パッチアンテナを用いることで、簡便で小型な探知対象物の電波式探知装置及び電波式探知方法を提供することを目的とする。
【課題を解決するための手段】
【０００７】  上述の課題を解決し目的を達成するため、この発明に係わる電波式探知装置のオフセット給電型パッチアンテナは、請求項１の記載によれば、電波信号を送信する平面導体と、前記平面導体に前記平面導体の中心点からオフセットされた給電点で接続される給電線とを備えるオフセット給電型パッチアンテナにおいて、前記給電線から印加する電気信号の周波数を変化させることにより、前記平面導体から送信する電波信号の送信方向を走査することを特徴とする。【０００８】  また、この発明に係わる電波式探知装置のオフセット給電型パッチアンテナは、請求項２の記載によれば、電波信号を受信する平面導体と、前記平面導体に前記平面導体の中心点からオフセットされた給電点で接続される給電線とを備えるオフセット給電型パッチアンテナにおいて、電波信号の周波数の変化により、前記平面導体で受信する電波信号の到来方向を検知することを特徴とする。【０００９】  また、この発明に係わる電波式探知装置のオフセット給電型パッチアンテナは、請求項３の記載によれば、前記平面導体の近傍に配設された無給電の平面導体を備えることを特徴とする。【００１０】  また、この発明に係わる電波式探知装置は、請求項４の記載によれば、送信信号を発生させる送信部と、前記送信信号を電波信号として送信する送信アンテナと、探知対象物で反射された前記電波信号を受信し受信信号に変換する受信アンテナと、前記受信信号を処理する受信部とを備える電波式対象物探知装置において、前記送信アンテナ又は前記受信アンテナの少なくとも一方は、前記電波信号を送受信する平面導体と、前記平面導体に前記平面導体の中心点からオフセットされた給電点で接続される給電線とを具備するオフセット給電型パッチアンテナであることを特徴とする。【００１１】  また、この発明に係わる電波式探知装置は、請求項５の記載によれば、送信信号を発生させる送信部と、前記送信信号を電波信号として送信すると共に探知対象物で反射された前記電波信号を受信し受信信号に変換する送受信アンテナと、前記受信信号を処理する受信部とを備える電波式対象物探知装置において、前記送受信アンテナは、前記電波信号を送受信する平面導体と、前記平面導体に前記平面導体の中心点からオフセットされた給電点で接続される給電線とを具備するオフセット給電型パッチアンテナであることを特徴とする。【００１２】  また、この発明に係わる電波式探知装置は、請求項６の記載によれば、サーキュレータをさらに備えることを特徴とする。【００１３】  また、この発明に係わる電波式探知装置は、請求項７の記載によれば、前記送信部は、前記送信信号の周波数を変化させる周波数変調部を具備することを特徴とする。【００１４】  また、この発明に係わる電波式探知装置は、請求項８の記載によれば、前記受信部は、前記送信信号と前記受信信号とから差周波信号を生成するミキサを具備することを特徴とする。【００１５】  また、この発明に係わる電波式探知装置は、請求項９の記載によれば、前記送信部は、周波数の異なる複数の連続波信号を発生させる多周波連続信号発生部と、前記連続波信号を一定時間毎に切り替える信号切替部と、パルスを発生させるパルス発生部と、前記信号切替部により一定時間毎に切り替えられた前記連続波信号と前記パルスを混合するミキサとを具備することを特徴とする。【００１６】  また、この発明に係わる電波式探知装置は、請求項１０の記載によれば、前記受信部は、前記送信信号と前記受信信号とから位相差信号を生成する位相検波部を具備することを特徴とする。【００１７】  また、この発明に係わる電波式探知装置は、請求項１１の記載によれば、さらに信号処理装置を備えることを特徴とする。【００１８】  また、この発明に係わる電波式探知装置は、請求項１２の記載によれば、前記信号処理部は、さらにウエーブレット変換処理部を具備することを特徴とする。【００１９】  また、この発明に係わる電波式探知方法は、請求項１３の記載によれば、平面導体の中心点からオフセットされた給電点から、周波数を変化させた第一の電気信号を印加することにより、送信する電波信号の送信方向を走査し、探知対象物で反射された前記電波信号を受信アンテナで受信し、前記受信アンテナで受信した前記電波信号により生成された第二の電気信号と前記第一の電気信号との差周波信号により探知対象物までの距離を測定することを特徴とする【００２０】  また、この発明に係わる電波式探知方法は、請求項１４の記載によれば、送信アンテナに第一の電気信号を印加することにより電波信号を送信し、探知対象物で反射した前記電波信号を平面導体の中心点からオフセットされた給電点を備える受信アンテナで受信し、受信した前記電波信号の周波数の変化により前記電波信号の到来方向を検知し、前記受信アンテナで受信した前記電波信号により生成された第二の電気信号と前記第一の電気信号との差周波信号により探知対象物までの距離を測定することを特徴とする。【００２１】  また、この発明に係わる電波式探知方法は、請求項１５の記載によれば、平面導体の中心点からオフセットされた給電点から、周波数を変化させた第一の電気信号を印加することにより、送信する電波信号の送信方向を走査し、探知対象物で反射した前記電波信号を平面導体の中心点からオフセットされた給電点を備える受信アンテナで受信し、受信した前記電波信号の周波数の変化により前記電波信号の到来方向を検知し、前記受信アンテナで受信した前記電波信号により生成された第二の電気信号と前記第一の電気信号との差周波信号により探知対象物までの距離を測定することを特徴とする。【００２２】  また、この発明に係わる電波式探知方法は、請求項１６の記載によれば、前記第一の電気信号の周波数の変化は、一定の時間幅で繰り返されることを特徴とする。【００２３】  また、この発明に係わる電波式探知方法は、請求項１７の記載によれば、さらに探知対象物の既存の時間変動データと前記受信信号から得られる探知対象物の時間変動データとをウエーブレット変換することを特徴とする。
【発明の効果】
【００２４】  この発明では、送信アンテナまたは受信アンテナの少なくとも一方に放射電波の広範囲な走査が可能なオフセット給電型パッチアンテナを使用するので、小型で簡便な探知対象物の電波式探知装置及び電波式探知方法を提供することができる。【００２５】  また、この発明では、オフセット給電型パッチアンテナで放射電波をビーム走査させながら探知対象物までの距離を計測することが可能となり、広範囲の探知が可能で、かつ、土砂や瓦礫に埋没した生存者の探知が可能な探知対象物の電波式探知装置及び電波式探知方法を提供することができる。
【発明を実施するための最良の形態】
【００２６】＜第一の実施例＞
以下本発明を図面に従って説明する。
本発明の第一の実施例を図１から図６に従って説明する。図１は、本発明の第一の実施例を示す外観図である。本発明の電波式探知装置は、送信部１１と送信アンテナ１９とからなる送信装置１と、受信部２１と受信アンテナ２９とからなる受信装置２と、信号処理装置３とから概略構成される。送信アンテナ１９及び受信アンテナ２９の先端には、ビーム走査機能を有するオフセット給電型パッチアンテナが装着されている。送信アンテナ１９は探知対象物１００の方向に電波が放射されるように、また受信アンテナ２９は探知対象物１００からの反射波を最大限受信できる方向にそれぞれ設置されている。【００２７】  図２は、本発明の第一の実施例を示す概略構成図である。本発明の電波式探知装置は、送信部１１と送信アンテナ１９とからなる送信装置１と、受信部２１と受信アンテナ２９とからなる受信装置２と、信号処理装置３とから概略構成されている。【００２８】  送信装置１の送信アンテナ１９は、ビーム走査機能を有するオフセット給電型パッチアンテナが用いられている。また、送信装置１の送信部１１は、ＦＭ信号発生器１２と、電力増幅器１３とから構成されている。【００２９】  受信装置２の受信アンテナ２９は、ビーム走査機能を有するオフセット給電型パッチアンテナが用いられている。また、受信装置２の受信部２１は、低雑音増幅器２２、ミキサ２３、帯域通過フィルタ２４、低域通過フィルタ２５とＡＤ変換器２６とから構成されている。【００３０】  信号処理装置３は、演算処理部３１、データ記憶部３２と探知対象物判定処理部３４から構成されている。【００３１】  図２において、ＦＭ信号発生器１２から送出されたＦＭ送信信号は、電力増幅器１３で増幅されて送信アンテナ１９からＦＭ電波信号として放射される。また、ＦＭ送信信号は、ホモダイン検波のために、ＦＭ信号発生器１２から受信装置２のミキサ２３にも送出される。【００３２】  送信アンテナ１９から放射されたＦＭ電波信号は、地中や土砂・瓦礫などの遮蔽物を伝搬し、探知対象物１００で反射されて受信アンテナ２９で受信される。【００３３】  受信アンテナ２９で受信されたＦＭ電波信号は、ＦＭ受信信号に変換されて低雑音増幅器２２により増幅される。増幅されたＦＭ受信信号は、ミキサ２３に送出される。【００３４】  ＦＭ受信信号とＦＭ信号発生器１２から送出されたＦＭ送信信号は、ミキサ２３でホモダイン検波され、ＦＭ電波信号の伝播時間により生じる差周波信号（ビート信号）が生成される。生成された差周波信号は、帯域通過フィルタ２４によって片側の側帯波のみのＳＳＢ信号に変換され、さらに低域通過フィルタ２５により差周波信号に相当する電圧信号としてＦＭ検波される。ＦＭ検波された差周波信号は、ＡＤ変換器２６でデジタル差周波信号に変換され、信号処理装置３へ出力される。【００３５】  信号処理装置３へ出力されたデジタル差周波信号は、演算処理部３１で探知対象物１００までの距離データに変換され、データ記憶部３２と探知対象物判定処理部３４により探知対象物１００の各種判定を行う。【００３６】  図３は送信アンテナ１９及び受信アンテナ２９に用いられるオフセット給電型パッチアンテナの詳細を示す図である。本発明で使用される���フセット給電型パッチアンテナは、平面導体９ａと、接地導体９ｂと、平面導体９ａと接地導体９ｂとにより挟持される誘電体９ｃと、芯線と編線とを具備する給電用同軸線９ｄとから概略構成されている。また、給電用同軸線９ｄの芯線は平面導体９ａの給電点９ｅに接続され、給電用同軸線９ｄの編線は接地導体９ｂに接続されている。給電用同軸線９ｄの給電点９ｅは、例えば平面導体９ａの対角線の交点である平面導体中心点９ｆの位置からずらされた位置に配設されることにより、給電点９ｅの位置が平面導体中心点９ｆの位置からオフセットされることになる。【００３７】  このオフセット給電型パッチアンテナに給電用同軸線９ｄを通して、例えば周波数ｆ１、ｆ２、ｆ３の信号を印加すると、平面導体９ａから放射される電波信号である放射パターン９ｇは、周波数ｆ１、ｆ２、ｆ３の信号に応じて放射方向が変化する。例えば周波数ｆ１の信号の印加により放射される放射パターン９ｇは図面の右上方向に、周波数ｆ２の信号の印加により放射される放射パターン９ｇは図面の右方向に、周波数ｆ３の信号の印加により放射される放射パターン９ｇは図面の右下方向に変化する。送信アンテナ１９は、この周波数に応じて放射方向が変化するビーム走査機能により一本のアンテナで広範囲に電波信号を放射することができる。同様に、受信アンテナ２９は、ビーム走査機能により一本のアンテナで広範囲に電波信号を受信することができる。このように、本発明で使用されるオフセット給電型パッチアンテナのビーム走査機能により、広範囲の探知対象物の探知が可能となるばかりでなく、送信アンテナと受信アンテナとを各々１本とすることができるので装置を簡便かつ小型にすることができる。【００３８】  また、平面導体９ａの近傍に、無給電の平面導体を配設することにより、ビームの指向性を上げることができる。【００３９】  図４はオフセット給電型のパッチアンテナのビーム走査機能を示す実験結果である。この実験で使用したパッチアンテナは、Ｘ方向の長さ５７．０ｍｍ、Ｙ方向の長さ５８．５ｍｍ、厚さ１ｍｍである。また、このパッチアンテナのＸ方向の一辺からの距離１６．５ｍｍ、Ｙ方向の一辺からの距離１７．５ｍｍの位置には信号を印加する給電点が設けられている。【００４０】  図４（ａ）（ｂ）（ｃ）は、給電用同軸９ｄに周波数２．５ＧＨｚから２．６ＧＨＺｚ付近の信号を印加した際に放射される電波信号の放射パターンを示している。図４（ａ）（ｂ）（ｃ）において電波信号の放射パターンは、円周方向が放射方向、半径方向が放射強度を示す極座標上で、黒く塗りつぶされた部分で示される。すなわち、この黒く塗りつぶされた部分の半径が最大となる方向が電波放射の放射方向となる。図４（ａ）は周波数２．５５ＧＨｚの信号の印加により放射される電波信号の放射パターン、図４（ｂ）は周波数２．５７ＧＨｚの信号の印加により放射される電波信号の放射パターン、図４（ｃ）は周波数２．６１ＧＨｚの信号の印加により放射される電波信号の放射パターンを示している。図４に示すように、周波数２．５ＧＨｚから２．６ＧＨＺｚに信号を変化させることにより、アンテナから放射される電波信号の放射方向は変化する。このように、本発明で使��されるオフセット給電型パッチアンテナは、印加する信号の周波数に応じて、電波信号の放射方向が変化するビーム走査機能を有する。【００４１】  図５は、図４のオフセット給電型パッチアンテナの入力インピーダンスの周波数依存性を示すインピーダンス・スミスチャートである。このように、本発明で使用されるオフセット給電型パッチアンテナは広帯域で使用することができる。また、オフセット給電型パッチアンテナは入力インピーダンスが高いため、図２に示す送信部１１の電力増幅器１３及び受信部２１の低雑音増幅器２２の出力インピーダンスは高く設定されている。【００４２】  図６は、本発明で使用されるオフセット給電型パッチアンテナのビーム走査機能により、探知対象物１００までの距離計測を行う原理を説明する図である。図６（ａ）はパッチアンテナに印加されるＦＭ送信信号の形態を示す図である。ＦＭ送信信号は、周波数帯域をΔＦ、時間間隔ΔＴとすると、例えば、周波数は時間の増加によりΔＦ／ΔＴの比で直線的に増加するアップチャープ特性を示す。また、このアップチャープ特性はΔＴの周期で繰り替えされる。【００４３】  図３で示したように、ΔＦ内の周波数ｆ１、ｆ２、ｆ３の信号の印加により、オフセット給電型パッチアンテナにより放射される電波信号は放射方向が変化する。このように、本発明で使用されるオフセット給電型パッチアンテナは、電波信号の放射方向の変化により広範囲の探知対象物の探知を行い、さらに、周波数ｆ１の周波数付近のアップチャープ特性を利用して探知対象物までの距離の計測を行うことができる。【００４４】  以下に、図２及び図６（ａ）を用いて、電波信号の放射方向を変化させ、探知対象物までの距離を計測する方法について詳細な説明をする。ＦＭ信号発生器１２により形成されたアップチャープ特性のＦＭ送信信号は、送信アンテナ１９からＦＭ電波信号として放射される。また、ＦＭ送信信号は、ホモダイン検波のために、ＦＭ信号発生器１２から受信装置２のミキサ２３にも送出される。送信アンテナ１９から放射されたＦＭ電波信号は、探知対象物１００で反射されて受信アンテナ２９で受信される。受信アンテナ２９で受信されたＦＭ受信信号はミキサ２３に送出される。ミキサ２３に送出されＦＭ受信信号は、ＦＭ信号発生器１２からミキサ２３に送出されたＦＭ送信信号と、ミキサ２３により混合されることによりホモダイン検波され、探知対象物１００までの距離に対応する差周波信号（ビート信号）が検出される。この結果、ＦＭ電波信号の伝搬時間により生じる差周波信号が生成される。この差周波信号をδｆ１とすると、探知対象物１００までの距離Ｌ１は
Ｌ１＝０．５×（ΔＴ／ΔＦ）×δｆ１×Ｃｏ    ・・（１）
で求められる。ここでＣｏは光速である。
なお、差周波信号δｆ１は周波数帯域ΔＦに比較して極めて小さな値のため、距離Ｌ１は式（１）により精度よく求めることができる。同様に、式（１）を利用して、周波数ｆ２に対するδｆ２により距離Ｌ２と、周波数ｆ３に対するδｆ３により距離Ｌ３を求めることが出来る。【００４５】  従って図６（ｂ）に示すように、本発明のオフセット給電型パッチアンテナを使用することにより、周波数ｆ１、ｆ２、ｆ３の信号の印加により放射される電波信号の放射方向と、周波数ｆ１、ｆ２、ｆ３に対するδｆ１、δｆ２、δｆ３により求められる距離Ｌ１、Ｌ２、Ｌ３とにより、探知対象物１００の方向・距離を求めることができると共に、電波信号の放射方向と距離を信号処理することで探知対象物１００の大きさや形を求めることができる。【００４６】＜変形例＞
図７は、本発明の第一の実施例における変形例を示す図である。第一の実施例において送信アンテナ１９及び受信アンテナ２９は、共にオフセット給電型パッチアンテナを用いたが、この発明はこの構成に限定されることはなく、図７（１）に示すように、送信アンテナ１９にオフセット給電型パッチアンテナを、受信アンテナ２９に給電点が中心部にある従来のパッチアンテナを用いる構成とすることができる。また、図７（２）に示すように、送信アンテナ１９に給電点が中心部にある従来のパッチアンテナを、受信アンテナ２９にはオフセット給電型パッチアンテナを用いる構成とすることができる。この図７（２）に示すように、受信アンテナ２９にオフセット給電型パッチアンテナを使用する場合には、探知対象物１００で反射された電波信号の周波数の変化により電波信号の到来方向を検知することで、探知対象物の方向・距離や、大きさ・形を求めることになる。【００４７】＜第二の実施例＞
本発明の第二の実施例を図８及び図９に従って説明する。図８は、本発明の第二の実施例を示す概略構成図である。第二の実施例における電波式探知装置は、送信部１１と送信アンテナ１９とからなる送信装置１と、受信部２１と受信アンテナ２９とからなる受信装置２と、信号処理装置３とから概略構成されている。【００４８】  送信装置１の送信アンテナ１９は、ビーム走査機能を有するオフセット給電型パッチアンテナが用いられている。また、送信装置１の送信部１１は、ＦＭ信号発生器１２と、電力増幅器１３とから構成されている。【００４９】  受信装置２の受信アンテナ２９は、ビーム走査機能を有するオフセット給電型パッチアンテナが用いられている。また、受信装置２の受信部２１は、低雑音増幅器２２、ミキサ２３、帯域通過フィルタ２４、低域通過フィルタ２５とＡＤ変換器２６とから構成されている。【００５０】  信号処理装置３は、演算処理部３１、データ記憶部３２、ウエーブレット変換処理部３３と探知対象物判定処理部３４から構成されている。【００５１】  図８において、ＦＭ信号発生器１２から送出されたＦＭ送信信号は、電力増幅器１３で増幅されて送信アンテナ１９からＦＭ電波信号として放射される。また、ＦＭ送信信号は、ホモダイン検波のために、ＦＭ信号発生器１２から受信装置２のミキサ２３にも送出される。【００５２】  送信アンテナ１９から放射されたＦＭ電波信号は、地中や土砂・瓦礫などの遮蔽物を伝搬し、探知対象物１００で反射されて受信アンテナ２９で受信される。【００５３】  受信アンテナ２９で受信されたＦＭ電波信号は、ＦＭ受信信号に変換されて低雑音増幅器２２により増幅される。増幅されたＦＭ受信信号は、ミキサ２３に送出される。【００５４】  ＦＭ受信信号とＦＭ信号発生器１２から送出されたＦＭ送信信号は、ミキサ２３でホモダイン検波され、ＦＭ電波信号の伝播時間により生じる差周波信号（ビート信号）が生成される。生成された差周波信号は、帯域通過フィルタ２４によって片側の側帯波のみのＳＳＢ信号に変換され、さらに低域通過フィルタ２５により差周波信号に相当する電圧信号としてＦＭ検波される。ＦＭ検波された差周波信号は、ＡＤ変換器２６でデジタル差周波信号に変換され、信号処理装置３へ出力される。【００５５】  信号処理装置３へ出力されたデジタル差周波信号は、演算処理部３１で探知対象物１００までの距離データに変換され、データ記憶部３２、ウエーブレット変換処理部３３と探知対象物判定処理部３４により探知対象物１００の各種判定を行う。【００５６】  図９は、第二の実施例における信号処理装置３の詳細機能を示す図である。演算処理部３１は、式（１）を用いて、受信装置２のＡＤ変換器２６より送出されたデジタル差周波信号により探知対象物１００までの距離を算出する。データ記憶部３２は、算出した探知対象物１００までの距離と、周波数の信号毎（電波信号の放射方向毎）の探知対象物１００までの距離を時系列で取得した時間変動データとを記憶する。ウエーブレット変換処理部３３は、心拍による既存の人体表面の時間変動データを参照信号（アナライジングウエーブレット）として、データ蓄積部３２の放射方向毎の探知対象物１００までの距離の時間変動データをウエーブレット変換処理する。【００５７】  このウエーブレット変換処理は、生存者の心拍による人体表面の時間変動が含まれている探知対象物までの距離データと、心拍による既存の人体表面の時間変動データ（アナライジングウエーブレット）との時間相関をとるものである。この結果得られた相関出力信号から、探知対象物１００が判定され、特定される。【００５８】  すなわち、探知対象物１００が生存者であった場合に、探知対象物１００までの距離の時間変動データから生存者の人体表面の時間変動データが強調し得られる。【００５９】  このように、第二の実施例の電波式探知装置を使用することにより、探知対象物１００の方向・距離・大きさ・形を求めることができると共に、ウエーブレット変換処理により土砂・瓦礫の中の生存者を判定し特定することが可能となる。【００６０】＜第三の実施例＞
本発明の第三の実施例を図１０に従って説明する。図１０は、本発明の第二の実施例を示す概略構成図である。第三の実施例における電波式探知装置は、送受信装置４と、信号処理装置３とから概略構成されている。【００６１】  送受信装置４は、ＦＭ信号発生器１２と電力増幅器１３とからなる送信部１１と、低雑音増幅器２２とミキサ２３と帯域通過フィルタ２４と低域通過フィルタ２５とＡＤ変換器２６とからなる受信部２１と、サーキュレータ４１と送受信アンテナ４２とから構成されている。【００６２】  サーキュレータ４１は、電力増幅器１３から出力されるＦＭ送信信号を送受信アンテナ４２へ送出するとともに、送受信アンテナ４２から受信されるＦＭ受信信号を受信部２１の低雑音増幅器２２へ送出する機能を有する。【００６３】  送受信アンテナ４２は、ビーム走査機能を有するオフセット給電型パッチアンテナが用いられている。また、送受信アンテナ４２は、サーキュレータ４１により、１つのアンテナで送信アンテナと受信アンテナの機能を有する。【００６４】  信号処理装置３は、演算処理部３１、データ記憶部３２、ウエーブレット変換処理部３３と探知対象物判定処理部３４から構成されている。【００６５】  図１０において、ＦＭ信号発生器１２から送出されたＦＭ送信信号は、電力増幅器１３で増幅されてサーキュレータ４１に出力される。また、ＦＭ送信信号は、ホモダイン検波のために、ＦＭ信号発生器１２から受信部２１のミキサ２３にも送出される。【００６６】  サーキュレータ４１に出力されたＦＭ送信信号は、送受信アンテナ４２に送出され、送受信アンテナ４２でＦＭ電波信号として放射される。【００６７】  送受信アンテナ４２から放射されたＦＭ電波信号は、地中や土砂・瓦礫などの遮蔽物を伝搬し、探知対象物１００で反射されて送受信アンテナ４２で受信される。【００６８】  送受信アンテナ４２で受信されたＦＭ電波信号は、ＦＭ受信信号に変換されてサーキュレータ４１から低雑音増幅器２２に送出され、低雑音増幅器２２で増幅される。増幅されたＦＭ受信信号は、ミキサ２３に送出される。【００６９】  ＦＭ受信信号とＦＭ信号発生器１２から送出されたＦＭ送信信号は、ミキサ２３でホモダイン検波され、ＦＭ電波信号の伝播時間により生じる差周波信号（ビート信号）が生成される。生成された差周波信号は、帯域通過フィルタ２４によって片側の側帯波のみのＳＳＢ信号に変換され、さらに低域通過フィルタ２５により差周波信号に相当する電圧信号としてＦＭ検波される。ＦＭ検波された差周波信号は、ＡＤ変換器２６でデジタル差周波信号に変換され、信号処理装置３へ出力される。【００７０】  信号処理装置３へ出力されたデジタル差周波信号は、演算処理部３１で探知対象物１００までの距離データに変換され、データ記憶部３２、ウエーブレット変換処理部３３と探知対象物判定処理部３４により探知対象物１００の各種判定を行う。【００７１】  このように、第三の実施例の電波式探知装置を使用することにより、探知対象物１００の方向・距離・大きさ・形や生存者の探知が可能となるばかりでなく、送信アンテナと受信アンテナを１本の送受信アンテナで共用することができるので装置を簡便かつ小型にすることができ��。【００７２】＜第四の実施例＞
本発明の第四の実施例を図１１及び図１２に従って説明する。図１１は、本発明の第四の実施例を示す概略構成図である。第四の実施例における電波式探知装置は、送信部１１と送信アンテナ１９とからなる送信装置１と、受信部２１と受信アンテナ２９とからなる受信装置２と、信号処理装置３とから概略構成されている。【００７３】  送信装置１の送信アンテナ１９は、ビーム走査機能を有するオフセット給電型パッチアンテナが用いられている。また、送信装置１の送信部１１は、多周波連続信号発生器１５、信号切替器１６、ミキサ１７、パルス発生器１８と電力増幅器１３とから構成されている。【００７４】  受信装置２の受信アンテナ２９は、ビーム走査機能を有するオフセット給電型パッチアンテナが用いられている。また、受信装置２の受信部２１は、低雑音増幅器２２、位相検波器２７とＡＤ変換器２６とから構成されている。【００７５】  信号処理装置３は、演算処理部３１、データ記憶部３２、ウエーブレット変換処理部３３と探知対象物判定処理部３４から構成されている。【００７６】  図１１において、多周波連続信号発生器１５から送出された周波数の異なる複数の連続波（ＣＷ波）信号は、信号切替器１６へ送出される。複数の連続波信号は、信号切替器１６で一定時間毎に次々と切り替えられる。この切り替えにより複数の連続波信号は、周期的に周波数が変わる連続信号となる。【００７７】  具体的には、多周波連続信号発生器１５から送出された周波数ｆａ、ｆｂ、ｆｃの連続波信号は、信号切替器１６で一定時間毎に周波数ｆａ、ｆｂ、ｆｃと周波数を切り替えられた後、再び周波数ｆａの信号に戻されて周期的に周波数が変わる連続信号となる。【００７８】  この連続波信号とパルス発生器１８からのパルスとは、ミキサ１７により混合されて周波数毎のパルス変調（ＰＭ）送信信号となる。このＰＭ送信信号は、電力増幅器１３により増幅されて、送信アンテナ１９からＰＭ電波信号として放射される。また、ＰＭ送信信号は、位相検波のために、ミキサ１７から受信装置２の位相検波器２７にも送出される。【００７９】  送信アンテナ１９から放射されたＰＭ電波信号は、地中や土砂・瓦礫などの遮蔽物を伝搬し、探知対象物１００で反射されて受信アンテナ２９で受信される。【００８０】  受信アンテナ２９で受信されたＰＭ電波信号は、ＰＭ受信信号に変換されて低雑音増幅器２２により増幅される。増幅されたＰＭ受信信号は、位相検波器２７に送出される。【００８１】  ＰＭ受信信号とミキサ１７から送出されたＰＭ送信信号は、位相検波器２７で位相検波され、ＰＭ電波信号の伝播時間により生じる位相差信号が生成される。生成された位相差信号は、ＡＤ変換器２６でデジタル位相差信号に変換され、信号処理装置３へ出力される。【００８２】  信号処理装置３へ出力されたデジタル差周波信号は、演算処理部３１で探知対象物１００までの距離データに変換され、データ記憶部３２、ウエーブレット変換処理部３３と探知対象物判定処理部３４により探知対象物１００の各種判定を行う。【００８３】  図１２は、第四の実施例の原理を示す図である。
図１２（１）は、多周波連続信号発生器１５から送出される周波数ｆａ、ｆｂ、ｆｃの連続波（ＣＷ波）信号を示している。図１２（２）は、周波数ｆａ、ｆｂ、ｆｃの連続波信号を信号切替器１６で切り替え、一定時間毎に周波数がｆａ、ｆｂ、ｆｃ、ｆａと変化する信号を示している。【００８４】  図１２（３）は、ｆａ、ｆｂ、ｆｃ、ｆａと時系列で周波数が変化する信号と、パルス発生器１８から送出されるパルスとをミキサ１７で混合することにより得られるパルス変調（ＰＭ）送信信号を示している。このＰＭ送信信号は、電力増幅器１３により増幅されて、送信アンテナ１９からＰＭ電波信号として放射される。また、ＰＭ送信信号は、位相検波のために、ミキサ１７から受信装置２の位相検波器２７にも送出される。ＰＭ電波信号は送信アンテナ１９から放射され、探知対象物１００で反射され受信アンテナ２９で受信される。受信アンテナ２９で受信されたＰＭ受信信号は位相検波器２７に送出される。位相検波器２７に送出されＰＭ受信信号は、送信部１１のミキサ１７から位相検波器２７に送出されたＰＭ送信信号と、位相検波器２７で位相検波され、探知対象物１００までの距離に対応する時間差が位相差信号として検出される。【００８５】  図１２（４）は、伝搬時間による時間差で遅延を生じたＰＭ受信信号を示す。図１２（５）は、位相検波器２７により検出された、ＰＭ送信信号とＰＭ受信信号との位相差を示す。この位相差の値から探知対象物１００までの距離が計測される。例えば、連続波の周波数ｆａ、位相検波器２７により計測された位相差をΨａとすると、探知対象物１００までの距離Ｌ１は
Ｌ１＝０．５×（Ψａ／（２×π×ｆａ））×Ｃｏ    ・・（２）
で求められる。ここでＣｏは光速である。同様に、式（２）を利用して、周波数ｆｂに対する位相差Ψｂにより距離Ｌ２と、周波数ｆｃに対するΨｃにより距離Ｌ３を求めることができる。【００８６】  従って本発明のオフセット給電型パッチアンテナを使用することにより、周波数ｆａ、ｆｂ、ｆｃの信号の印加により放射される電波信号の放射方向と、周波数ｆａ、ｆｂ、ｆｃに対する位相差Ψａ、Ψｂ、Ψｃにより求められる距離Ｌ１、Ｌ２、Ｌ３とにより、探知対象物１００の方向・距離を求めることができると共に、電波信号の放射方向と距離を信号処理することで探知対象物１００の大きさや形を求めることができる。【００８７】  信号処理装置３は図９と同様の構成である。図９によれば、演算処理部３１は、式（２）を用いて、受信装置２のＡＤ変換器２６より送出されたデジタル差周波信号により探知対象物１００までの距離を算出する。データ記憶部３２は、算出した探知対象物１００までの距離と、周波数の信号毎（電波信号の放射方向毎）の探知対象物１００までの距離を時系列で取得した時間変動データとを記憶する。ウエーブレット変換処理部３３は、心拍による既存の人体表面の時間変動データを参照信号（アナライジングウエーブレット）として、データ蓄積部３２の放射方向毎の探知対象物１００までの距離の時間変動データをウエーブレット変換処理する。【００８８】  このウエーブレット変換処理は、生存者の心拍による人体表面の時間変動が含まれている探知対象物までの距離データと、心拍による既存の人体表面の時間変動データ（アナライジングウエーブレット）との時間相関をとるものである。この結果得られた相関出力信号から、探知対象物１００が判定され、特定される。【００８９】  すなわち、探知対象物１００が生存者であった場合に、探知対象物１００までの距離の時間変動データから生存者の人体表面の時間変動データが強調し得られる。【００９０】＜第五の実施例＞
本発明の第五の実施例を図１３に従って説明する。図１３は、本発明の第五の実施例を示す概略構成図である。第五の実施例における電波式探知装置は、送受信装置４と、信号処理装置３とから概略構成されている。【００９１】  送受信装置４は、多周波連続信号発生器１５、信号切替器１６、ミキサ１７、パルス発生器１８と電力増幅器１３とからなる送信部１１と、低雑音増幅器２２、位相検波器２７とＡＤ変換器２６とからなる受信部２１と、サーキュレータ４１と送受信アンテナ４２とから構成されている。【００９２】  サーキュレータ４１は、電力増幅器１３から出力されるＰＭ送信信号を送受信アンテナ４２へ送出するとともに、送受信アンテナ４２から受信されるＰＭ受信信号を受信部２１の低雑音増幅器２２へ送出する機能を有する。【００９３】  送受信アンテナ４２は、ビーム走査機能を有するオフセット給電型パッチアンテナが用いられている。また、送受信アンテナ４２は、サーキュレータ４１により、１つのアンテナで送信アンテナと受信アンテナの機能を有する。【００９４】  信号処理装置３は、演算処理部３１、データ記憶部３２、ウエーブレット変換処理部３３と探知対象物判定処理部３４から構成されている。【００９５】  図１３において、ミキサ１７から送出されたＰＭ送信信号は、電力増幅器１３で増幅されてサーキュレータ４１に出力される。また、ＰＭ送信信号は、位相検波のために、ミキサ１７から受信部２１の位相検波器２７にも送出される。【００９６】  サーキュレータ４１に出力されたＰＭ送信信号は、送受信アンテナ４２に送出され、送受信アンテナ４２でＰＭ電波信号として放射される。【００９７】  送受信アンテナ４２から放射されたＰＭ電波信号は、地中や土砂・瓦礫などの遮蔽物を伝搬し、探知対象物１００で反射されて送受信アンテナ４２で受信される。【００９８】  送受信アンテナ４２で受信されたＰＭ電波信号は、ＰＭ受信信号に変換されてサーキュレータ４１から低雑音増幅器２２に送出され、低雑音増幅器２２で増幅される。増幅されたＰＭ受信信号は、位相検波器２７に送出される。【００９９】  ＰＭ受信信号とミキサ１７から送出されたＰＭ送信信号は、位相検波器２７で位相検波され、ＰＭ電波信号の伝播時間により生じる位相差信号が生成される。生成された位相差信号は、ＡＤ変換器２６でデジタル位相差信号に変換され、信号処理装置３へ出力される。【０１００】  信号処理装置３へ出力されたデジタル差周波信号は、演算処理部３１で探知対象物１００までの距離データに変換され、データ記憶部３２、ウエーブレット変換処理部３３と探知対象物判定処理部３４により探知対象物１００の各種判定を行う。【０１０１】  このように、第五の実施例の電波式探知装置を使用することにより、探知対象物１００の方向・距離・大きさ・形や生存者の探知が可能となるばかりでなく、送信アンテナと受信アンテナを１本の送受信アンテナで共用することができるので装置を簡便かつ小型にすることができる。【０１０２】  この発明は、上述した実施例の手順に限定されることなく、この発明の要旨を逸脱しない範囲で、種々の変形可能であることは言うまでもない。【０１０３】  例えば、上述した実施例では、アップチャープ特���のＦＭ信号について述べたが、この他、時間の増加とともに直線的に周波数が減少するダウンチャープ特性のＦＭ信号が周期的に繰り返される場合、アップチャープ特性の次にダウンチャープ特性のＦＭ信号が続く信号が周期的に繰り返される場合も含まれることは言うまでもない。【０１０４】  また、上述した実施例では、アップチャープ特性のＦＭ信号として、ｆ１、ｆ２、ｆ３の３種の周波数について説明したが、ＦＭ信号は３種に限るものではないことは言うまでもない。【０１０５】  また、上述した実施例では、連続波信号として、ｆａ、ｆｂ、ｆｃの３種の周波数について説明したが、連続波信号が３種に限るものではないことは言うまでもない。【０１０６】  また、上述した実施例では、パッチアンテナは、平面導体と、接地導体と、平面導体と接地導体とにより挟持される誘電体と、芯線が平面導体に給電点を介して接続される給電用同軸線とから概略構成されていると説明したが、本発明に使用できるパッチアンテナはこの構成に限られることは無く、給電点がオフセットされた構成であれば、どのようなパッチアンテナを使用することができることは言うまでもない。
【産業上の利用可能性】
【０１０７】  本発明は、地中に埋没した文化財や配管などの埋没物や土砂崩れなどの自然災害により土砂や瓦礫に埋没した生存者などの探知対象物を探知する、探知対象物の電波式探知装置及び方法として説明してきたが、その他の対象物を探知することも可能である。すなわち、生い茂った樹木等で目視での探索が不可能な人や動物等の探知対象物の探知が可能である。
【図面の簡単な説明】
【０１０８】
【図１】本発明の第一の実施例を示す外観図である。
【図２】本発明の第一の実施例を示す概略構成図である。
【図３】本発明の第一の実施例に用いられるオフセット給電型のパッチアンテナの詳細を示す図である。
【図４】オフセット給電型パッチアンテナの実験例であり、電波信の放射パターンを示す。
【図５】オフセット給電型パッチアンテナの実験例であり、インピーダンス・スミスチャートを示す。
【図６】本発明の第一の実施で使用されるオフセット給電型パッチアンテナの、ビーム操作及び距離計測の原理を示す図である。
【図７】本発明の第一の実施例における変形例を示す図である。
【図８】本発明の第二の実施例を示す概略構成図である。
【図９】本発明の第二の実施例における信号処理装置の詳細機能を示す図である。
【図１０】本発明の第二の実施例を示す概略構成図である。
【図１１】本発明の第四の実施例を示す概略構成図である。
【図１２】本発明の第四の実施例の原理を示す図である。
【図１３】本発明の第五の実施例を示す概略構成図である。
【符号の説明】
【０１０９】１  送信装置
１１  送信部
１２  ＦＭ信号発生器
１３  電力増幅器
１５  多周波連続信号発生器
１６  信号切替器
１７  ミキサ
１８  パルス発生器
１９  送信アンテナ
２  受信装置
２１  受信部
２２  低雑音増幅器
２３  ミキサ
２４  帯域通過フィルタ
２５  低域通過フィルタ
２６  ＡＤ変換器
２７  位相検波器
２８  パルス発生器
２９  受信アンテナ
３  信号処理装置
３１  演算処理部
３２  データ記憶部
３３  ウエーブレット変換処理部
３４  探知対象物判定処理部
４  送受信装置
４１  サーキュレータ
４２  送受信アンテナ
９ａ  平面導体
９ｂ  接地導体
９ｃ  誘電体
９ｄ  給電用同軸
９ｅ  給電点
９ｆ  平面導体中心点
１００  探知対象物
【図１】
2005143061.tif 000003
【図２】
2005143061.tif 000004
【図３】
2005143061.tif 000005
【図４】
2005143061.tif 000006
【図５】
2005143061.tif 000007
【図６】
2005143061.tif 000008
【図７】
2005143061.tif 000009
【図８】
2005143061.tif 000010
【図９】
2005143061.tif 000011
【図１０】
2005143061.tif 000012
【図１１】
2005143061.tif 000013
【図１２】
2005143061.tif 000014
【図１３】
2005143061.tif 000015